(57)【要約】【課題】  成形後の光学素子内に視野枠等の加工を二次的に施すことにより、ファインダ光学系の設計自由度を或る程度確保した上で、ゴミの付着が回避できること、高精細な視野表示が得られること、ファインダ像性能に悪影響を及ぼさないこと、性能が安定していること等を満足させる画像入力装置を提供する。【解決手段】  被写体像を所定位置に結像させる撮影光学系１と、前記被写体像を視認するための光学ファインダ系４とを有する画像入力装置において、前記光学ファインダ系４に含まれる単一部品からなる光学素子２の内部に前記被写体像の撮影される範囲に関する情報を明示するための視野マーク７、８を有する。【選択図】        図１
2005331685.tif 000002
【特許請求の範囲】
【請求項１】
被写体像を所定位置に結像させる撮影光学系と、前記被写体像を視認するための光学ファインダ系とを有する画像入力装置において、前記光学ファインダ系に含まれる単一部品からなる光学素子の内部に前記被写体像が撮影される範囲に関する情報を明示するための視野マークを有し、前記視野マークは、前記光学素子に、直接加工されていることを特徴とする画像入力装置。
【請求項２】
被写体像を所定位置に結像させる撮影光学系と、被写体像を視認するための光学ファインダ系と、前記撮影光学系の少なくとも一部と、結像予定面との相対位置を移動させることにより、前記被写体像のピント状態を変化させるフォーカス駆動手段と、このフォーカス駆動手段を駆動させ、前記被写体像のピント状態を自動で調整するオートフォーカス制御手段とをする画像入力装置において、前記光学ファインダ系に含まれる単一部品からなる光学素子の内部に前記オートフォーカス制御に用いられる前記被写体像の範囲に関する情報を明示するためのオートフォーカスターゲットマークを有し、前記オートフォーカスターゲットマークは、前記光学素子に、直接加工されていることを特徴とする画像入力装置。
【請求項３】
被写体像を所定位置に結像させる撮影光学系と、前記被写体像を視認するための光学ファインダ系とを有する画像入力装置において、前記光学ファインダ系に含まれる単一部品からなる光学素子の内部に装置の状態を明示するための表示マークを有し、前記表示マークは、前記光学素子に、直接加工されていることを特徴とする画像入力装置。
【請求項４】
前記視野マークあるいは前記オートフォーカスターゲットマーク、あるいは前記表示マークが、前記光学素子の外部に配置された発光手段からの光を反射することを特徴とする請求項１ないし３のいずれか一項記載の画像入力装置。
【請求項５】
前記光学素子は、前記光学ファインダ系を通過する光線を所定の方向に折り曲げるためのプリズム手段であることを特徴とする請求項１ないし４のいずれか一項記載の画像入力装置。
【請求項６】
前記光学素子は、前記光学ファインダ系内のレンズ手段であることを特徴とする請求項１ないし４のいずれか一項記載の画像入力装置。
【請求項７】
前記光学素子は、前記光学ファインダ系において、レンズ的機能や光線折り曲げ機能を有さない光学ブロック手段であることを特徴とする請求項１ないし４のいずれか一項記載の画像入力装置。
【請求項８】
前記視野マークあるいは前記オートフォーカスターゲットマーク、あるいは前記表示用マークが、前記光学素子の外部から、レーザにより加工されたマークであることを特徴とする請求項１ないし７のいずれか一項記載の画像入力装置。
【発明の詳細な説明】
【技術分野】
【０００１】
本発明は、カメラ等、画像入力装置の光学ファインダにおける各種情報の表示に関するものである。
【背景技術】
【０００２】
カメラの光学ファインダのゴミ対策として、従来では、以下の４パターン、すなわち、ゴミがついても掃除しやすい構造、ゴミを付きにくくする（帯電防止材料）構造、ゴミを見えにくくする（視野マスク面を中空にして周辺の光学面から離す等）構造、ゴミがつかない（視野マスク周辺を密閉するとか）構造等が提案されている（例えば特許文献１ないし５参照）。
特許文献１には視野枠前後に光学部材を貼り付けて密閉する技術が開示され、特許文献２にはファインダ光学系の結像面に視野枠溝を設け、結像面上に透明部材を配置し、透明部材の表面が焦点面からアウトフォーカスとなる程度に隔離することで、透明部材にゴミ等が付着しても目立たないようにする技術が開示されている。
特許文献３には、結像面を光学部材内の中間位置に形成することで、対物光学系の出射面、あるいは接眼光学系の入射面に塵埃が付着したとしても、結像面から光軸方向にシフトさせることにより、接眼光学系を介して鮮明に確認されず、被写体像確認の邪魔にならなくする技術が開示され、
特許文献４にはプリズム内に視野枠を一体成形する技術が開示され、そして特許文献５にはプリズム内に焦点面を形成するため、焦点面から離れた領域にゴミ、汚れ、埃、傷などが発生しても、それらが観察されることはなく、鮮明なファインダ像を得るという技術が開示されている。
特許文献６、７には、ファインダ物体像が空中結像するので、塵埃やケバ等のない状態での物体像を観察可能であり、また、空中結像する視野枠の内周辺に沿って測距ポイント、測距領域、パララックス補正領域を仮想表示するための指標部を設けたので、上記測距ポイント、領域やパララックス補正領域を視野枠上で容易に想定することができるという技術が開示されている。
【特許文献１】特開平１０−３０１１６３号公報
【特許文献２】特開平１１−２５８６６４号公報
【特許文献３】特開２０００−２１４５１６公報
【特許文献４】特開２００２−１２２９０４公報
【特許文献５】特開２００２−３１１４７７公報
【特許文献６】特開２０００−３５６８０１公報
【特許文献７】特開２００１−０２１９５４公報
【発明の開示】
【発明が解決しようとする課題】
【０００３】
特許文献６および７に開示されるファインダ物体像が空中結像し、空中結像する空間に視野枠を配置する技術は、空間に配置された視野枠の開口縁に“ケバ”のようなゴミが付着する可能性がある。
特許文献６および７に開示される光学ファインダでは、光学ファインダユニットで確認した時に問題がなくても、輸送した後にゴミの付着が発見される、または、光学ファインダユニットをカメラに組み込んだ時点で問題なくても、カメラを輸送した後にゴミの付着が発見されるという問題がある。
この問題は、輸送時等、工場から出た後に、前記したような視野枠の開口縁に“ケバ”のようなゴミが付着することにより発生するため、工場でユニットやカメラでの検査を如何に強化しても、市場の光学ファインダゴミ問題を撲滅することが困難である。
図５は視野枠を空間に配置する特許文献６および７に開示される光学ファインダを示す概略斜視図である。図５には対物光学系１、この対物光学系１とプリズム２との間の空間に配置される視野枠３、およびプリズム２の、対物光学系１の側と反対側に配置された接眼レンズ４を示している。
図５に示した光学ファインダでは、視野枠３の機械加工において、開口縁のバリ等が問題になることも多い。さらには、ファインダ光学系の設計に制約が大きく、現在のような小型化志向の状況下においては、視野枠３前後に十分な空間を確保することは困難となりつつある。
特許文献６〜７に対し、特許文献１〜５のように、結像面が光学素子内部になるように構成し、視野枠３を結像面に配置すれば、工場出荷後に視野枠にゴミが付着することは回避できる。（図６、図７参照）
【０００４】
然るに、これら特許文献１〜５の技術には、以下のような欠点が存在している。
図６は視野枠をプリズム内に一体成形した特許文献３ないし５に開示される光学ファインダを示す概略斜視図である。図６には対物光学系１、プリズム２内に配置された視野枠３、およびプリズム２の、対物光学系１の側と反対側に配置された接眼レンズ４を示している。
図７はプリズム端面の視野表示を別の光学素子で密閉する特許文献１および２に開示される光学ファインダを示す概略斜視図である。図７には対物光学系１、プリズム２面に彫り込まれた視野表示５、プリズム２に貼り付けられた光学ブロック６、およびプリズム２の、対物光学系１の側と反対側に配置された接眼レンズ４を示している。
まず、図６のような視野枠３をプリズム内に一体成形するタイプでは、プリズム成形時の材料の流動性が損なわれ、プリズム２内の材質が不均一になり易く（ファインダ像性能に悪影響を与える）、また、視野枠３自体はプレス加工品であるため、バリや加工精度の問題で高精細の表示は困難である。
次いで図７のような光学素子を張り合わせるタイプでは、貼り合わせるときにゴミを挟み込んでしまうような事態が容易に発生しうると共に、接合面の光学的な影響も懸念され、これらの点に留意しなければならないので、接合作業の工数アップに繋がってしまう。
以上のように、従来技術を用いたのでは、ファインダ光学系の設計自由度を確保した上で、ファインダにゴミを付着しにくくすること、視野枠等の視認性を良くすること、光学性能を優れたものとすること、といった各要請を満足させることは困難である。
本発明の目的は、上述した実情を考慮して、ファインダ光学系の設計自由度を確保した上で、ファインダにゴミが付着しにくいこと、視野枠等の視認性が良いこと、光学性能に優れることを満足させる光学ファインダを有した画像入力装置を提供することである。
【課題を解決するための手段】
【０００５】
上記課題を解決するため、請求項１の発明は、被写体像を所定位置に結像させる撮影光学系と、前記被写体像を視認するための光学ファインダ系とを有する画像入力装置において、前記光学ファインダ系に含まれる単一部品からなる光学素子の内部に前記被写体像が撮影される範囲に関する情報を明示するための視野マークを有し、前記視野マークは、前記光学素子に、直接加工されていることを特徴とする。
請求項２の発明は、被写体像を所定位置に結像させる撮影光学系と、被写体像を視認するための光学ファインダ系と、前記撮影光学系の少なくとも一部と、結像予定面との相対位置を移動させることにより、前記被写体像のピント状態を変化させるフォーカス駆動手段と、このフォーカス駆動手段を駆動させ、前記被写体像のピント状態を自動で調整するオートフォーカス制御手段とをする画像入力装置において、前記光学ファインダ系に含まれる単一部品からなる光学素子の内部に前記オートフォーカス制御に用いられる前記被写体像の範囲に関する情報を明示するためのオートフォーカスターゲットマークを有し、前記オートフォーカスターゲットマークは、前記光学素子に、直接加工されていることを特徴とする。
【０００６】
請求項３の発明は、被写体像を所定位置に結像させる撮影光学系と、前記被写体像を視認するための光学ファインダ系とを有する画像入力装置において、前記光学ファインダ系に含まれる単一部品からなる光学素子の内部に装置の状態を明示するための表示マークを有し、前記表示マークは、前記光学素子に、直接加工されていることを特徴とする。
請求項４の発明は、請求項１ないし３の何れか一項において、前記視野マークあるいは前記オートフォーカスターゲットマーク、あるいは前記表示マークが、前記光学素子の外部に配置された発光手段からの光を反射することを特徴とする。
請求項５の発明は、請求項１ないし４の何れか一項において、前記光学素子は、前記光学ファインダ系を通過する光線を所定の方向に折り曲げるためのプリズム手段であることを特徴とする。
請求項６の発明は、請求項１ないし４の何れか一項において、前記光学素子は、前記光学ファインダ系内のレンズ手段であることを特徴とする。
請求項７の発明は、請求項１ないし４の何れか一項において、光学素子は、前記光学ファインダ系において、レンズ的機能や光線折り曲げ機能を有さない光学ブロック手段であることを特徴とする。
請求項８の発明は、請求項１ないし７の何れか一項において、前記視野マークあるいは前記オートフォーカスターゲットマーク、あるいは前記表示用マークが、前記光学素子の外部から、レーザにより加工されたマークであることを特徴とする。
【発明の効果】
【０００７】
本発明によれば、画像入力装置は成形後の光学素子内に視野枠等の加工を直接施すことにより、ファインダ光学系の設計自由度を確保した上で、ファインダにゴミが付着しにくいこと、視野枠等の視認性が良いこと、光学性能に優れることを満足させ得る。
【発明を実施するための最良の形態】
【０００８】
以下、図面を参照して、本発明の実施の形態を詳細に説明する。図１は本発明によるデジタルカメラの光学系の基本的な構成を示す第１の実施の形態の概略斜視図である。
図２は、図１による実施の形態におけるファインダ内表示の詳細を示す概略図である。図２では、ファインダ内表示として、“視野枠３”、“近距離補正マーク７”、“ＡＦターゲットマーク８”の３種類が表示されている。“視野枠３”は通常の撮影時に撮影される範囲を示す視野マークであり、“近距離補正マーク７”は被写体距離が近い場合の撮影範囲を示す視野マークである。また、“ＡＦターゲットマーク８”とは、オートフォーカス（ＡＦ）の合焦情報検出エリアを示す視野マークである。
以後の説明では、ファインダ内に表示される視野枠３、近距離補正マーク７、オートフォーカス（ＡＦ）ターゲットマーク等を総称して、視野マークと表現する。
本発明において、画像入力装置は被写体像を所定位置に結像させる撮影光学系（例えば、対物光学系１）と、被写体像を視認するための光学ファインダ系（例えば、接眼レンズ４）と、前記撮影光学系の少なくとも一部と、結像予定面との相対位置を移動させることにより、前記被写体像のピント状態を変化させるフォーカス駆動手段（図示せず）とを有している。
さらに、画像入力装置はこのフォーカス駆動手段を駆動させ、被写体像のピント状態を自動で調整するオートフォーカス制御手段（図示せず）を有し、光学ファインダ系に含まれる単一部品からなる光学素子の内部にオートフォーカス制御に用いられる前記被写体像の範囲に関する情報を明示するためのオートフォーカスターゲットマーク８を有する構成になっている。
本発明において、光学素子とは、前記光学ファインダ系を通過する光線を所定の方向に折り曲げるためのプリズム手段、前記光学ファインダ系内のレンズ手段、或いは前記光学ファインダ系において、レンズ的機能や光線折り曲げ機能を有さない光学ブロック手段である。
【０００９】
図１には、対物光学系１、プリズム２内に配置された視野枠３、およびプリズム２の、対物光学系１の側と反対側に配置された接眼レンズ４を示している。
図２に示された３種類の視野マークは、全てプリズム２内部にレーザ加工により、二次的に形成される。
すなわち、プリズム２自体の成形工程と、プリズム内に配置される視野枠３を含めた視野マークの加工形成とは無関係であるため、プリズム内に視野枠を一体成形する従来例とは異なり、プリズム２の成形時の流動性が保て、高品位成形が可能である。
また、ファインダ内に表示する視野マークをプリズム２内に直接加工することにより、ファインダ内に表示する視野マークを、プレス加工した場合のように、バリにより光学ファインダにゴミが付着する問題を解決でき、かつ加工精度が高いため、高精細な視野表示が可能である。よって、ファインダ光学性能への悪影響が無く、高品質なファインダ内表示が可能となる。
図３は本発明によるデジタルカメラの光学系の第２の実施の形態を示す概略斜視図である。図４は図３による実施の形態における表示の詳細を示す概略図である。図３および図４において、“視野枠３”、“近距離補正マーク７（視野表示）”、“ＡＦターゲットマーク８”に関しては、第１の実施の形態と同じであるので、説明は割愛する。
図３には、対物光学系１、プリズム２内に配置された視野枠３、およびプリズム２の、対物光学系１の側と反対側に配置された接眼レンズ４、視野表示を示している。
【００１０】
第２の実施の形態で追加された“ストロボ状態表示マーク１２”、“ＡＦ表示マーク９”も、プリズム２内部にレーザ加工により、第１の実施の形態と同様に、二次的に形成される。
また、レーザ加工部分は外部からの光を乱反射する性質を利用し、上記“ストロボ状態表示マーク１２”、“ＡＦ表示マーク９”は、プリズム２外に配置されたそれぞれ対応するＬＥＤ（発光手段）の照射により、点灯、消灯ができる構成になっている。
このように構成したことで、例えば、“ストロボ状態表示マーク１２”はストロボ充電中には点滅、充電完了で点灯、“ＡＦ表示マーク９”はオートフォーカスが正常に完了した場合は点灯、正常に完了しなかった場合は点滅といった制御が可能となる。
このようにファインダ内に表示するマークをプリズム２内に直接加工し、プリズム外から光を照射することにより、簡単な構造となる。
例えば『ＡＦ』とか『ストロボ』といた文字を光らせることが可能であり、また、立体感のある表示にすることも可能である。
また、前記したように、レーザ加工部分は外部からの光を乱反射するので、側面から光を照射すれば良く、ファインダ内に表示するマーク点灯用ＬＥＤを配置する際の自由度が高い（本実施の形態では下面に、ＡＦ表示およびストロボ状態表示用ＬＥＤ１０、１１を配置している）。
【００１１】
上記第２の実施の形態では、“ストロボ状態表示マーク１２”、“ＡＦ表示マーク９”を光らせる構成としたが、暗い場所での視野枠３等の視認性向上のため、視野枠３、近距離補正マーク７、ＡＦターゲットマーク８を光らせるようにしても良い。
また、上記第１および第２の実施の形態では、視野枠３、近距離補正マーク７、ＡＦターゲットマーク８等を同一平面内に配置したが、視認できる範囲内であれば、前後に区別して配置することも可能である。
また、上記実施の形態では、ファインダ光学系内の部品のうち、比較的大きいプリズム２内にレーザ加工を施して各種表示を実現しているので、二次加工時のハンドリングが容易であり、コストを最小限に抑えることが可能である。
なお、光学設計の自由度（＝ファインダ小型化、高品質化）を鑑みた場合、必ずしもプリズム内に配置できない場合も発生する。その場合は、別の光学素子（レンズや、視野枠用の光学ブロック）に、本実施の形態のような加工を施すことも可能である。
以上説明したように、各種タイプのファインダ光学設計に、本発明を適用することにより、各種タイプの光学ファインダにおいて、この光学ファインダにゴミが付着する心配が無く、かつ高精細な表示が可能である。さらには、ファインダ光学性能への悪影響も無く、品質も安定しているファインダ内表示を実現できる。
【図面の簡単な説明】
【００１２】
【図１】本発明によるデジタルカメラの基本的な、第１の実施の形態を示す概略斜視図。
【図２】図１による実施の形態における表示の詳細を示す概略図。
【図３】本発明によるデジタルカメラの第２の実施の形態を示す概略斜視図。
【図４】図３による実施の形態における表示の詳細を示す概略図。
【図５】視野枠を空間に配置する従来例を示す概略斜視図。
【図６】視野枠をプリズム内に一体成形した従来例を示す概略斜視図。
【図７】プリズム端面の視野表示を別の光学素子で密閉する従来例を示す概略斜視図。
【符号の説明】
【００１３】
１  対物光学系（撮影光学系）
２  プリズム手段（プリズム）
３  視野枠（視野マーク）
４  接眼レンズ（光学ファインダ系）
５  視野表示
６  光学ブロック
７  視野表示（近距離補正マーク、視野マーク）
８  視野表示（オートフォーカス（ＡＦ）ターゲットマーク、視野マーク）
９  表示マーク（オートフォーカス（ＡＦ）表示マーク）
１２  表示マーク（ストロボ状態表示マーク）
【図１】
2005331685.tif 000003
【図２】
2005331685.tif 000004
【図３】
2005331685.tif 000005
【図４】
2005331685.tif 000006
【図５】
2005331685.tif 000007
【図６】
2005331685.tif 000008
【図７】
2005331685.tif 000009